(57)【特許請求の範囲】
【請求項１】
上下２分割され、下部のベース（３）に対し上部のカバー（２）が着脱自在に構成され、レーダアンテナ（４）を防水すべく収容するレーダレドームにおいて、
前記ベースの外周縁に連続して立設し、円環状に同心な径の異なる２つの接合片（５ａ，５ｂ）によって構成され、該２つの接合片の間に溝（５ｃ）を有して内側の接合片（５ｂ）が外側の接合片（５ａ）より高い位置まで突出形成された接合片（５）と、
前記カバーの前記側壁部の内側に突出して前記内側の接合片の外側面に嵌合する段差部（２ｃ）と、
内側面（２ｄ）が前記外側の接合片の外側面に嵌合するように前記カバーの下縁部に連続して設けられる嵌合部（２ｂ）と、
前記溝部分に挿入される固定部（６ａ）と、該固定部の上面の縁に突出された突起部（６ｂ）と、前記固定部の外周に形成された下部が幅広の傾斜片（６ｃ）とを有する円環状の防水パッキン（６）と、
前記ベース及び対向するカバーの外周縁からそれぞれ外側部へ突出形成される複数の固定用フランジ（１０，１１）と、
前記固定用フランジ同士を固定する固定具（１４）と、
を具備し、
前記ベースに対し前記カバーを接合したときに、前記防水パッキンの突起部が前記段差部の下面で下方に押され、前記防水パッキンの傾斜片が前記内側面によって内側に押し込まれた状態で押圧密着し、前記固定具により前記固定用フランジ同士を固定して内部に前記レーダアンテナを防水すべく収容することを特徴とするレーダレドーム。
【発明の詳細な説明】
【０００１】
【発明の属する技術分野】
本願発明は、例えば船舶等に搭載されるレーダに適用されるもので、甲板上やマスト等の室外に設置され、レーダアンテナを収容するレドームタイプのレーダレドームに関する。
【０００２】
【従来の技術】
レーダは、オープンタイプとレドームタイプがある。レドームタイプは回転するレーダアンテナ全体をレドームで被い、レドーム内への水の侵入を防止する防水構造が取られている。
従来のレドーム構造を図５の側断面図に示す。レドーム５０は、下部のベース５１と、ベース５１に対して着脱可能な上部のカバー５２とを有する。
このレドーム５０は、内部に回転するレーダアンテナ５３を収容してこのレーダアンテナ５３を防水し、また損傷から守る。
【０００３】
このレドーム５９は、ベース５１の縁部全周に沿って防水パッキン５４が設けられ、上部との接合部箇所を防水する構造である。
そして、カバー５２の内縁部にはネジ受け部５２ａが突出して設けられ、ベース５１下部からこのネジ受け部５２ａに取り付けネジ５５を螺合させることにより、ベース５１にカバー５２が接合した状態を固定保持できる。
【０００４】
このレドーム５０内部に収容されるレーダアンテナ５３は、性能を向上させるためにレドーム５０の内部においてできるだけ大きいものが設けられるようになっている。
【０００５】
【発明が解決しようとする課題】
このため、レドーム５０のカバー５２を外そうとするとき、ネジ受け部５２ａの出っ張りでレーダアンテナ５３の端部を損傷することがある。
また、レドーム５０のカバー５２は、部品として複数個を積み重ねて保管し、また輸送するようにするが、このカバー５２は図６に示すように、ネジ受け部５２ａがカバー５２の内側に突出しているため、重ねると高さ方向に大きな容積を必要とし、多数個を積み重ねることができないとともに、保管及び輸送の効率が悪くなる。また、このネジ受け部５２ａによって積み重ねた状態が不安定となる。
【０００６】
また、図７の拡大断面図に示すように、取り付けネジ５５及びネジ受け部５２ａが防水パッキン５４の内側にあるため、この取り付けネジ５５の部分にも新たにパッキン５７を設ける必要があった。また、いずれかの取り付けネジ５５が緩むとこの取り付けネジ５５部分からレドーム５０の内部に水が侵入する問題もある。
このように、防水処理を施さねばならない箇所が増えると、それだけレドーム５０の防水性が低下することになる。
【０００７】
本発明は、上記課題を解決するためになされたものであり、簡単な構造でレドーム内部を確実に防水でき、カバーを容易に着脱できるレーダレドームを提供することを目的としている。
【０００８】
【課題を解決するための手段】
上記目的を達成するため、本発明のレーダレドームは、上下２分割され、下部のベース（３）に対しレーダアンテナ（４）を防水すべく収容するレーダレドームにおいて、
前記ベースの外周縁に連続して立設し、円環状に同心な径の異なる２つの接合片（５ａ，５ｂ）によって構成され、該２つの接合片の間に溝（５ｃ）を有して内側の接合片（５ｂ）が外側の接合片（５ａ）より高い位置まで突出形成された接合片（５）と、
前記カバーの前記側壁部の内側に突出して前記内側の接合片の外側面に嵌合する段差部（２ｃ）と、
内側面（２ｄ）が前記外側の接合片の外側面に嵌合するように前記カバーの下縁部に連続して設けられる嵌合部（２ｂ）と、
前記溝部分に挿入される固定部（６ａ）と、該固定部の上面の縁に突出された突起部（６ｂ）と、前記固定部の外周に形成された下部が幅広の傾斜片（６ｃ）とを有する円環状の防水パッキン（６）と、
前記ベース及び対向するカバーの外周縁からそれぞれ外側部へ突出形成される複数の固定用フランジ（１０，１１）と、
前記固定用フランジ同士を固定する固定具（１４）と、
を具備し、
前記ベースに対し前記カバーを接合したときに、前記防水パッキンの突起部が前記段差部の下面で下方に押され、前記防水パッキンの傾斜片が前記内側面によって内側に押し込まれた状態で押圧密着し、前記固定具により前記固定用フランジ同士を固定して内部に前記レーダアンテナを防水すべく収容することを特徴とする。
【０００９】
上記構成によれば、ベース３外周縁の接合片５にカバー２の嵌合部２ｂを嵌合させることにより取り付けられる。ベース３とカバー２には、それぞれ外周縁から突出する固定用フランジ１０，１１が複数設けられる。固定部６ａが溝５ｃに挿入された防水パッキン６は、ベース３に対してカバーを接合したときに、突起部６ｂがカバー２の段差部２ｃの下面で下方に押され、傾斜片６ｃがカバー２の内側面２ｄによって内側に押し込まれた状態で押圧密着する。そして、固定具１４により固定用フランジ１０，１１同士を固定することにより、内部にレーダアンテナ４を収容してカバー２とベース３の接合状態を保持し、レドーム内部への水の侵入を防止する。
【００１０】
【発明の実施の形態】
図１（ａ）は本発明のレーダレドームの内部を示す平面図、（ｂ）は同側断面図である。
レドーム１は、内部が中空な略円筒形状とされ、上下に２分割されるカバー２とベース３を有する。
レドーム１内部に収容されたレーダアンテナ４は、レドーム１の中央で回転して所定の探索処理を行う。このレーダアンテナ４は、レドーム１の内側面に近接するできるだけ大きい形状とされ、探索性能の向上が図られている。
【００１１】
ベース３の内面には、放射状に複数のリブ３ａが設けられて剛性が保持されている。
このベース３の外周縁には、接合片５が連続して立設されている。
また、ベース３には、周方向に３等分した位置にそれぞれ固定用フランジ１０が突出形成される。この固定用フランジ１０は、側面でみて接合片５ａ，５ｂの下部位置から水平に突出し、また、平面でみて所定の曲率で外方に突出形成される。この固定用フランジ１０にも放射状に複数のリブ１０ａが設けられ、剛性が保たれている。
【００１２】
カバー２は、下方が開口した略円筒形状に形成され、側面でみて所定角度で傾斜する側壁部２ａを有する。
側壁部２ａの下端には、嵌合部２ｂが全周に連続して形成され、この嵌合部２ｂは側面でみて外方に段差を有して形成されている。
このカバー２の嵌合部２ｂには、ベース３の固定用フランジ１０に対向してそれぞれ固定用フランジ１１が突出形成されている。
【００１３】
図２は、接合片５部分を示す拡大断面図である。
接合片５は、円環状に同心な径の異なる２つの接合片５ａ，５ｂによって構成されており、内側の接合片５ｂは、外側の接合片５ａより高い位置まで突出形成されている。
【００１４】
前記接合片５ａ，５ｂ間の溝５ｃ部分には、防水パッキン６が設けられている。
防水パッキン６は弾性材からなり、平面上円環な溝５ｃに対応して同円環状に形成されている。
断面でみてこの防水パッキン６の下部には、溝５ｃ部分に挿入される固定部６ａが突出し、上面の縁には突起部６ｂが突出し、外周には、下部が幅広の傾斜片６ｃが形成されている。防水パッキン６は、この傾斜片６ｃが設けられた側が、この傾斜片６ｃの幅分だけ薄く成形されている。
これら固定部６ａ、突起部６ｂ、傾斜片６ｃはそれぞれ防水パッキンの全周に連続形成されている。
【００１５】
このベース３の各固定用フランジ１０には、中央の最も突出した部分にネジ穴１０ｂが貫通形成されている。
一方、カバー２の固定用フランジ１１部分には、予めネジ受け１４ａがインサート成形されており、このネジ受け１４ａには下方から固定用ボルト１４ｂが螺合されるようになっている。
【００１６】
接合片５ｂの外側面５ｂｂ部分には、カバー２の側壁部２ａ内側に突出する段差部２ｃが嵌合する。
また、カバー２の嵌合部２ｂ（固定用フランジ１１）の内側面２ｄは、接合片５ａの外側面５ａａ部分に嵌合する。
【００１７】
そして、図３に示すように、ベース３に対しカバー２を上方から被せて互いを接合させる。
接合片５ｂの外面５ｂｂの位置と、カバー２の段差部２ｃの位置は互いに密に嵌合する精度で成形加工されており、カバー２は接合時に位置決めされる。
【００１８】
この接合により、防水パッキン６は、カバー２の段差部２ｃと内側面２ｄの間で図示の如く圧縮された状態となる。
防水パッキン６上部の突起部６ｂは、段差部２ｃの下面で下方に押され、傾斜片６ｃは、内側面２ｄによって内側に押し込まれた状態となる。
【００１９】
そして、各ベース３の固定用フランジ１０に設けられたネジ穴１１の下方から固定用ボルト１４ｂを挿入し、この固定用ボルト１４ｂをカバー２側のネジ受け１４ａに螺合させることにより、カバー２がベース３に取り付いた状態を固定保持できる。
【００２０】
これにより、防水パッキン６の前記圧縮状態が保持でき、外部からの水の侵入を防止できる。
そして、上記構成によれば、円環状の防水パッキン６が設けられた位置より外側の位置に固定用フランジ１０，１１が設けられ、固定用ボルト１４ｂでカバー２とベース３の接合が固定保持されているため、レドーム内部の防水は、防水パッキン６だけで行うことができ、固定用ボルト１４ｂ部分に防水パッキンを特別に設ける必要がなく構成の簡素化と、防水性の向上を図ることができる。
【００２１】
また、図４に示すように、カバー２を部品として積載する場合、このカバー２の内部に突出する部分がないため、カバー２は傾斜する側壁部２ａ同士が互いに接した状態で複数積み重ねることができ、このカバー２を複数積み重ねても従来に比して高さ方向の容積を取らない。
このため、従来と比較して同じ高さでより多くの個数のカバ−２を積み重ねることができるようになる。
また、複数積み重ねても安定状態を保つことができるため、保管及び輸送時の安定性を維持できるようになる。
【００２２】
さらに、内部のレーダアンテナ４の保守等を行うため、ベース３からカバー２を取り外すときにおいても、カバー２の内側に突出する部分がないため、レーダアンテナ４を損傷する虞れがない。同時に、レーダアンテナ４はカバー２の内径にできるだけ近接する大型のものを用いることができるようになり、レドーム１の外径に比してより高特性のレーダアンテナ４を収容することができるようになる。
【００２３】
上記実施の形態では、カバー２側にネジ受け１４ａが設けられ、ベース３下部から固定用ボルト１４ｂを挿通させ互いを固定する構成として説明したが、カバー２の固定用フランジ１１側にも貫通孔を形成し、ボルトとナット等一対の固定具１４を用いてカバー２とベース３を固定する構成としてもよい。また、ボルトとナットに代わり固定用フランジ１０，１１を挟持板で挟み固定する構成とすることもできる。
【００２４】
【発明の効果】
本発明によれば、カバーはベースに対し、それぞれの外周縁に連続する接合片に嵌合部が嵌合することにより着脱自在であり、この接合箇所には円環状の防水リングが設けられる。固定部が溝に挿入された防水パッキンは、固定用フランジ同士が固定されると、突起部がカバーの段差部の下面で下方に押され、傾斜片がカバーの内側面によって内側に押し込まれた状態で押圧密着する。そして、カバーとベースにはそれぞれ外側部に向け固定用フランジが突出形成されており、互いが接合した状態でこの固定用フランジ同士を固定具で固定することにより、内部にレーダアンテナを収容した状態でカバーとベースの接合状態が保持され、防水パッキンによりレドーム内部への水の侵入を防止することができる。また、カバーとベースに設けられる固定用フランジは、防水パッキンの外側に設けられたものであり、レドーム内部位置に配置されたものではないため、固定具に対する防水処理を不要にでき、簡単な構成で防水性を向上できるようになる。
さらに、カバーの内面側に不要な突起がないため、カバーの着脱時にレーダアンテナを損傷することがなく、このカバーの着脱を容易に行えるようになる。
【図面の簡単な説明】
【図１】（ａ）は、本発明の実施の形態を示す平面図。
（ｂ）は、同側断面図。
【図２】接合部分の拡大断面図。
【図３】同接合状態を示す拡大断面図。
【図４】カバーを重ねた状態を示す図。
【図５】従来のレドーム構造を示す側断面図。
【図６】同レドームのカバーを積み重ねた状態を示す図。
【図７】同レドームの接合部分を示す拡大図。
【符号の説明】
１…レドーム、２…カバー、２ａ…側壁部、２ｂ…嵌合部、２ｃ…段差部、３…ベース、４…レーダアンテナ、５（５ａ，５ｂ）…接合片、６…防水パッキン、１０，１１…固定用フランジ、１４…固定具（１４ａ…ネジ受け、１４ｂ…固定用ボルト）。
【図１】
0003561363.tif 000002
【図２】
0003561363.tif 000003
【図３】
0003561363.tif 000004
【図４】
0003561363.tif 000005
【図５】
0003561363.tif 000006
【図６】
0003561363.tif 000007
【図７】
0003561363.tif 000008